(57)【要約】パケットデータ−用のアクセスネットワークに基づくＡ．Ｓ０００１／ＩＳ２００１はベースステーション（ＢＳ）、パケットコントロールファンクション（ＰＣＦ）、パケットデータサービングノード（ＰＤＳＮ）を備える。ＢＳ／ＰＣＦ接続が失敗した場合、複数の可能な理由から選択された接続失敗の理由を特定するメッセージをＰＤＳＮからＰＣＦへ伝達する。同様のメッセージがＢＳに登録失敗の理由を伝えるためにＰＣＦからＢＳに送信される。接続後にＰＤＳＮ／ＰＣＦインターフェースがリリースされた場合、複数の可能な理由から選択されたリリースの理由を特定するメッセージがＰＤＳＮからＰＣＦへ伝達する。同様のメッセージがＢＳにリリースの理由を伝えるためにＰＣＦからＢＳに送信される。
2004522385.tif 000002
【特許請求の範囲】
【請求項１】
基地局（ＢＳ）と、パケットコントロールファンクション（ＰＣＦ）と、パケットデータサービングノード（ＰＤＳＮ）とからなるパケットデータコミュニケーションシステムであり、ＢＳはＡ８ベアラインターフェ−スとＡ９シグナリングインターフェースとによりＰＣＦに対して接続され同ＰＣＦはＡ１０ベアラインターフェースとＡ１１シグナリングインターフェースによりＰＤＳＮに対して接続されているパケットデータコミュニケーションシステム内で、
Ａ８接続を要求する工程と、
Ａ８接続を要求する工程に対する応答としてＡ１０接続とパケットデータの登録を要求する工程と、
Ａ１１シグナリングインターフェース上で登録要求が認可されＡ１０接続が完了した場合に、それを示すＡ１１−登録応答メッセージを提供する工程と、
Ａ９シグナリングインターフェース上でＢＳにベアラインターフェースの登録が拒絶されたことを、複数の登録拒絶理由から選択された少なくともひとつの理由を含むＡ９−リリース−Ａ８完了メッセージを提供する工程、
からなる方法。
【請求項２】
複数の登録拒絶理由を有するエレメントからなるＡ９−リリース−Ａ８完了メッセージを備える請求項１に記載の方法。
【請求項３】
Ａ１０接続確立後、Ａ１０接続がリリースされる際に、Ａ１１−登録応答がＡ１０接続のリリース理由を提供する請求項１に記載の方法。
【請求項４】
前記複数の理由は未確定、管理上の禁止、リソース不足、モバイルノードの認証失敗、身元のミスマッチ、不十分なリクエストの形式、未知のＰＤＳＮアドレス、必須だが、‘Ｔ’ビットがセットされていない要求されたリバーストンネルからなる請求項１に記載の方法。
【請求項５】
ＢＳと、ＰＣＦと、ＰＤＳＮとからなるパケットデータコミュニケーションシステムで、ＢＳはＡ８ベアラインターフェ−スとＡ９シグナリングインターフェースとによりＰＣＦに対して接続され、ＰＣＦはＡ１０ベアラインターフェースとＡ１１シグナリングインターフェースとによりＰＤＳＮに対して接続されているパケットデータコミュニケーションシステム内において、
Ａ８ベアラインターフェース上に接続を確立させる工程と、
Ａ１０ベアラインターフェース上に接続を確立させる工程と、
Ａ１１シグナリングインターフェース上でＰＤＳＮからＰＣＦへＡ１０ベアラ接続のリリースを要求するＡ１１−登録更新メッセージを供給する工程と、
Ａ１１シグナリングインターフェース上でＰＣＦからＰＤＳＮへＡ１０ベアラ接続のリリースを要求するＡ１１−登録要求メッセージを供給する工程と、
Ａ１１シグナリングインターフェース上でＰＤＳＮからＰＣＦへＡ１０ベアラ接続のリリースを確認するＡ１１−登録応答メッセージを供給する工程と、
Ａ９シグナリングインターフェース上でＰＣＦからＢＳへＡ８ベアル接続のリリースの要求と、Ａ８ベアル接続のリリースの理由を供給するＡ９−切断−Ａ８メッセージを供給する工程と、
Ａ８ベアル接続をリリースする工程からなる方法。
【請求項６】
複数の可能性のある理由から選択されたＡ８接続リリースの理由の中で、Ａ８接続のリリースのための複数の可能な理由からなるＡ９−切断―Ａ８メッセージを備える請求項５に記載の方法。
【請求項７】
少なくともポイントからポイント（ＰＰＰ）接続タイムアウトを含む複数の可能な理由を有する請求項６に記載の方法。
【請求項８】
少なくともＰＤＳＮエラーを含む複数の可能な理由を有する請求項６に記載の方法。
【請求項９】
少なくともＰＤＳＮリセットを含む複数の可能な理由を有する請求項６に記載の方法。
【請求項１０】
少なくともＰＤＳＮ  ＯＡＭ＆Ｐの介入を含む複数の可能な理由を有する請求項６に記載の方法。
【発明の詳細な説明】
【０００１】
発明の分野
本発明はモバイルコミュニケーションシステム、より詳細にはＢＳ（Ｂａｓｅ  Ｓｔａｔｉｏｎ：ＢＳ）にパケットデータについて情報を提供することに関する。
【０００２】
発明の背景
ＴＩＡ／ＥＩＡ（Ｔｅｌｅｃｏｍｍｕｎｉｃａｔｉｏｎｓ  Ｉｎｄｕｓｔｒｙ  Ａｓｓｏｃｉａｔｉｏｎ／Ｅｌｅｃｔｒｏｎｉｃ  Ｉｎｄｕｓｔｒｉｅｓ  Ａｓｓｏｃｉａｔｉｏｎ）、ＩＳ−２００１、ＩＯＳ（３ＧＰＰ２  Ａ．Ｓ０００１  Ｉｎｔｅｒ  Ｏｐｅｒａｂｉｌｉｔｙ  Ｓｐｅｃｉｆｉｃａｔｉｏｎ）標準はｃｄｍａ２０００や、１ＸＥＶ−ＤＯや、アクセスネットワークに基づくＡ．Ｓ０００１／ＩＳ−２０００１によりサポートされる他のいかなる技術などで、運営されているセルラーモバイルテレコミュニケーションシステム用の互換性のある標準を提供している。この標準はｃｄｍａ２０００で運営されるモバイルステーション（ＭＳ）が、この標準に基づいて作成されたセルラーコミュニケーションシステムやパーソナルコミュニケーションシステム（ＰＣＳ）を運営する際に、コミュニケーションサービスを獲得できることを保証する。互換性を保証するため、この標準によりラジオシステムパラメータとコールプロセッシングプロシージャーは記述される。この標準は、ＢＳを含めインフラストラクチャーの要素間で交換するコールや、デジタルコントロールメッセージや、アナログシグナルを確立するためにＭＳに提供する、ＭＳやＢＳにより実行されるコールプロセシングステップを含んでいる。
【０００３】
典型的なｃｄｍａ２０００コミュニケーションシステムインフラストラクチャーはＰＣＦと通信するＢＳを含んでいる。ＢＳとＰＣＦ間のインターフェースは、ＢＳとＰＣＦ間のシグナリングインターフェースを提供するＡ９インターフェースと、ＢＳ局とＰＣＦ間のベアラパス（Ｂｅａｒｅｒ  Ｐａｔｈ）を提供するＡ８インターファイスを含んでいる。これらのインターフェースは総称としてＩＳ−２００１やＩＯＳや、アクインター（Ａｑｕｉｎｔｅｒ）やＡ８／Ａ９インターフェースなどの標準として知られている。また、このインフラストラクチャーはＰＣＦと通信するパケットデータサービングノード（ＰＤＳＮ）を含んでいる。ＰＤＳＮはパケットデータトラフィックの始端や終端となるＭＳへ経路を定める。ＰＣＦとＰＤＳＮ間のインターフェースは、ＰＣＦとＰＤＳＮ間のシグナリングインターフェースを提供するＡ１１インターフェースと、ＰＣＦとＰＤＳＮ間のベアラパス（Ｂｅａｒｅｒ  Ｐａｔｈ）を提供するＡ１０インターフェースを含んでいる。
【０００４】
ＢＳはＭＳからパケットデータを受信し、Ａ８，Ａ１０ベアラインターフェースを通してパケットデータをＰＤＳＮに送信する。このデータトランスミッションを実際に行う前に、それらのＡ８，Ａ１０ベアラインターフェース上に接続を確立する必要がある。もしこのような接続が確立されなければ、このＢＳに接続の未確立や、パケットデータコールの失敗が知らされる。ネットワークオペレーターはこの問題を解決する立場であろう、しかし、この問題を解決するために何を行うべきか知るべく必要な情報がなければ、それを達成することは非常に難しい。さらに、このＢＳのオペレーターは将来的により接続作成の可能性を高くするようにシステムを改善することが可能であろう。しかしこのような改善は、なぜ接続が成功しなかったのかという情報なしでは難しいだろう。従って、ＢＳに対して登録失敗の原因を提供する必要が知られている。
【０００５】
さらに、時々、接続はうまく作成されるが、しかしその時にリソースを他のコールの準備のためにリリースすることがある。このリリースはタイムアウト機能のようにデザインされているものもあるだろうが、一部のエラー状況に対応するための望ましくないリリースもあるだろう。ＢＳはリリースを知らされるが、しかしなぜリリースが生じたかという情報は準備されていないだろう。ＢＳのオペレーターに問題がどこで生じているか通知しないことは、このように、システムが将来この問題から回避するためにどのような改良をすればよいかという知識をＢＳのオペレーターから奪うという結果になる。
【０００６】
発明の説明
コミュニケーションシステム内で、現在のＩＯＳ標準の改良によって、ＢＳは原標準下では現在ＢＳに対しては準備されていない有用な情報を受信する。このＢＳは、次のファンクショナルブロックと順順に接続しているあるファンクショナルブロックと接続する。これらのブロックがパケットデータ転送のセットアップ（登録）ができない時、そのときそのブロックはＢＳに連結し、本発明の一実施形態に基づいて、複数の可能な理由の中から選択された理由をそのＢＳに提供する。ブロックがパケットデータ転送のためにセットアップされ、しかし切断された時、そのＢＳは、また本発明の一実施形態に基づいて、なぜ接続されたブロックを切断されたのかという複数の可能な理由の中から選択された理由を通知する。ＩＯＳ標準下の現存のメッセージは改善され、故にＢＳはこの有用な情報を受信する。
【０００７】
図１はコミュニケーションシステム１０を示す。同システム１０セルフォン等モバイルソースからインターネットのようなパケットインフォメーションシステムへパケットデータ転送に有用なアクセスネットワークに基づくＡ．Ｓ０００１／ＩＳ−２００１である。システム１０はモバイルスイッチングセンター（ＭＳＣ）１２、基地局（ＢＳ）１４、パケットコントロールファンクション（ＰＣＦ）１６、パケットデータサービングノード（ＰＤＳＮ）１８からなる。ＭＳＣ１２はモバイルの始端とモバイルの終端のトラフィックと、ＩＯＳ標準に基づくＡ１，Ａ２，Ａ５インターフェースを使用するＢＳ１４と共にインターフェースを切り替える。ＢＳ１４はセルフォンなどモバイルステーションを通してデータや声を受信する。ＰＣＦ１６はＢＳ１４で準備されたＰＤＳＮ１８によって使用されるデータをインターフェースする。ＰＣＦ１６はＡ８やＡ９インターフェースを使用してＢＳ１４をインターフェースする。ＰＣＦ１６はＡ１０やＡ１１インターフェースを使用してＰＳＤＮ１８をインターフェースする。このＡ９インターフェースはＢＳ１４とＰＣＦ１６間のコントロール情報提供用のシグナル情報を提供する。同様に、このＡ９インターフェースはＰＣＦ１６とＰＤＳＮ１８間のシグナル情報を提供する。このＡ８，Ａ１０インターフェースは単にＩＯＳ標準下のデータやパケットデータの転送するベアララインである。ファンクショナルブロックＢＳ１４，ＰＣＦ１６，ＰＤＳＮ１８，Ａ８，Ａ９，Ａ１０，Ａ１１の名前はＩＯＳ標準に基づいている。
【０００８】
図２で示されているテーブル２０はＡ９，Ａ１１インターフェース上に存在しているＡ８，Ａ１０インターフェースの異なった条件での異なったメッセージを表示している。現在のこのケースでは、接続はＰＤＳＮ１８からＰＣＦ１６とＰＣＦ１６からＢＳ１４にある。現在のこのケースのために、非登録やリリースのケースの４個の関連したメッセージが存在する。このリリースされたケースはパケットデータがＡ８からＡ１０インターフェース間の転送を許可されたが、その時に許可が終了したケースに関連している。さらに、これは他のユーザ用に利用可能とするためにＰＤＳＮとＰＣＦ１６間のＡ１０接続をリリースする。
【０００９】
パケットデータ登録失敗時のケースでは、Ａ１１登録応答（Ａ１１−Ｒｅｇｉｓｔｒａｔｉｏｎ  Ｒｅｐｌｙ）とＡ９−リリース−Ａ８完了メッセージ（Ａ９―Ｒｅｌｅａｓｅ−Ａ８Ｃｏｍｐｌｅｔｅ）という二つの関連したメッセージがある。Ａ１１登録応答メッセージのケースではＰＤＳＮ１８からＰＣＦ１６へＡ１０インターフェースが接続されていないという情報を提供する。このメッセージは、なぜその登録が生起されなかったのかという情報も含む。この情報は現在のＩＯＳ標準の下でのコード・エレメントを含んでいる。ここで変更されたようなコード・エレメントはＰＤＳＮコードと呼ばれる。現行標準やＰＤＳＮコード下での現行のコード・エレメントによって登録に関連して包含する情報は、登録承認、未確定理由による登録拒否、管理上の禁止理由による登録拒否、リソース不足理由による登録拒否、モバイルノードの認証失敗理由による登録拒否、身元のミスマッチ理由による登録拒否、不十分な形式のリクエスト理由による登録拒否、未知のＰＤＳＮアドレス理由による登録拒否、要求されたリバーストンネルが利用不可能理由による登録拒否、必須だが、Ｔ（ビットがセットされてない）リバーストンネル理由による登録拒否、サポートされていないベンダーＩＤ理由による登録拒否、ＣＶＳＥ内でデータ翻訳不可能理由による登録拒否、がある。ＰＤＳＮコードはそれらのコード・エレメントに追加した情報を備え、接続リリース−ＰＤＳＮエラー、接続リリース−ＰＰＰアウト、接続リリース−インター−ＰＣＦハンドオフ、接続リリース−インター−ＰＤＳＮハンドオフ、接続リリース−ＰＤＳＮ  ＯＡＭ＆Ｐ（保守運用）の干渉、接続リリース−アカウントエラー、接続リリース−登録タイムアウト、接続リリース−未確定理由、からなる情報が追加されている。
【００１０】
現在のＩＯＳ標準を改良して、Ａ９−リリース−Ａ８完了メッセージに関連しては、このメッセージは（登録できなかったケースで）登録失敗が原因でＡ１０接続の確立に失敗したという情報を提供する。図２で示すように、このメッセージはまたＡ９−ＰＤＳＮコードを含んでいる。Ａ９−ＰＤＳＮコードはＡ９インターフェース用であり、Ａ１１インターフェースにあるＰＤＳＮコード情報と類似か、ほぼ同様の情報を有する。Ａ９−リリース−Ａ８完了メッセージによって、ＢＳはＡ１０接続の確立が失敗した理由が判別できる。その結果、ＢＳのために用意されているこの情報は修正個所を提供することにより、接続を作成可能にするために使用可能であり、また将来のシステム強化を提供することにより、登録をさらに安定的に作成可能するために使用しえる。例えば、もしＰＤＳＮ失敗によるエラーである場合、ＰＣＦを異なるＰＤＳＮと再接続したり、問題のあるＰＤＳＮが修正され得る。同様に、例えば、コンフィグレーションやＢＳ１４でのソフトウェアの問題など、問題がある場合、この情報はすばやく完全な修正を可能にするであろうし、登録を作成可能にする。ＢＳが登録失敗の理由を受信することにより、問題の特定と解決方法の発見のどちらもより早くなる。
【００１１】
登録失敗のケースに一部は似ているが、また異なるところを有する別の状況として、パケットデータ接続（すなわちＭＳからＰＤＳＮのＰＰＰコネクション）は存在するが、ＰＤＳＮがＡ１０接続のリリースを開始するケースがある。このようなケースでは２つの関連したメッセージが提供される。図２のＰＤＳＮ１８からＰＣＦ１６に示されているメッセージはＡ１１登録更新（Ａ１１−Ｒｅｇｉｓｔｒａｔｉｏｎ  Ｕｐｄａｔｅ）である。このメッセージはＰＤＳＮがＡ１０接続のリリースを開始することを許可する。図２に示すように、このＡ１１登録更新はリリースの理由を提供するＰＤＳＮコードを含む。リリースの典型的な理由は、ＰＰＰタイムアウト、ＰＤＳＮエラー、ＰＤＳＮリセット、ＰＤＳＮのＯＡＭ＆Ｐ（保守運用）の干渉、インターＰＣＦハンドオフ、アカウンティングエラー、登録タイムアウト、未確定理由、リソース不足、である。ＰＰＰタイムアウトはモバイルユーザーの使用の不足に関連し、そのためタイムアウトが発生する。ＰＤＳＮエラーはＰＤＳＮ内のあるエラーの発見や、単純に接続の維持の失敗に関連する。ＰＤＳＮリセットはＰＤＳＮのリセット状態に関連する。ＯＡＭ＆Ｐ（運用、管理、保守、実行）の干渉はオペレーターによる他のＰＤＳＮへのパケットデータセッションのハンドオフに関連するインターＰＤＳＮハンドオフの保守に関連する。インターＰＣＦハンドオフは他のＰＣＦへのコールのハンドオフの切断に関連する。アカウンティングエラーは無効なアカウンティングレコードに関連する。リソースの不足はＰＤＳＮ内のリソースの不足やＡ１０のリソースの不足に関連する。未確定理由はＰＤＳＮが特定していない理由の送信や、ＰＤＳＮのコードに含まれていないことを指し示す。登録タイムアウトはＴｒｐタイマー（Ｔｒｐ  ｔｉｍｅｒ）の終了前の登録失敗に関連する。
【００１２】
他のメッセージとしてＰＣＦからＢＳへのＡ８接続のリリース要求というＡ９−切断−Ａ８（Ａ９−Ｄｉｓｃｏｎｎｅｃｔ−Ａ８）メッセージがある。Ａ９−切断−Ａ８はＢＳに送信されたＡ９−ＰＤＳＮコードをまた含む。Ａ９−ＰＤＳＮコードとＡ１１登録更新メッセージはＡ９−切断−Ａ８メッセージにＡ１０接続リリースの原因に関連した情報を有することを可能にして、ＢＳへ情報送信を可能とする。
【００１３】
ＢＳ１４はアクセスネットワーク内のどんな異常な事態の発生でも感知する。また、発生してきた、修理の必要性を指摘するであろう失敗情報を含む。それはまた、ＢＳのオペレーターにとっては、システムの将来的な改善のために詳細な必要性を示唆するための機会を収集できる情報である。それゆえＢＳのオペレーターはシステムの将来的な改善に対するリソース配分のための基礎を有する。Ａ９−リリース−Ａ８完了メッセージ、Ａ１１登録更新メッセージ、Ａ９−切断−Ａ８メッセージは全てＩＯＳ標準内に存在しているメッセージである。しかし、以前にこれらはＰＤＳＮやＡ９−ＰＤＳＮコードを有していなかった。従って、その結果ＢＳは、登録失敗の理由や存在していたＡ１０接続のリリースの理由のような情報を有することはなかった。
【００１４】
図３で示しているのはアクインター（Ａｑｕｉｎｔｅｒ）設計書のセクション３．３に定義されているＡ９−切断−Ａ８メッセージ用のテーブルである。このテーブルはＡ９−ＰＤＳＮコードを含むように改良したＡ９−切断−Ａ８メッセージを示している。またこのテーブルは改善された設計書に基づいて提供される定義を示している。Ａ９−切断−Ａ８メッセージは、Ａ９メッセージ・タイプ・エレメント、コール接続参照（Ｃａｌｌ  ｃｏｎｎｅｃｔｉｏｎ  ｒｅｆｅｒｅｎｃｅ）エレメント、関連ＩＤ（ｃｏｒｒｅｌａｔｉｏｎ  ＩＤ）エレメント、モバイル特定（ＩＭＳＩ）（ｍｏｂｉｌｅ  ｉｄｅｎｔｉｆｙ）エレメント、モバイル特定（ＥＳＮ）（ｍｏｂｉｌｅ  ｉｄｅｎｔｉｆｙ）エレメント、ｃｏｎ＿ｒｅｆ（ｃｏｎ＿ｒｅｆ）エレメント、Ａ８＿トラフィック＿ＩＤ（Ａ８＿ｔｒａｆｆｉｃ＿ＩＤ）エレメント、原因（ｃａｕｓｅ）エレメント、新Ａ９−ＰＤＳＮコード・エレメントからなる。もしこのメッセージ内に関連ＩＤエレメントが含まれている場合、このメッセージの応答内で送信されるＡ９−切断−Ａ８メッセージ内で対応するエレメントで値（Ｖａｌｕｅ）を返すべきである。もし、モバイル特定エレメントの第二発生があり、それが含まれていた場合、ＭＳのＥＳＮを含む例えば、ＭＳはセルフォンである。このメッセージ内でのＥＳＮの使用はオペレーターの判断である。許可されるケースの値はパケット呼び出し休止中（Ｐａｃｋｅｔ  ｃａｌｌｅｄ  ｇｏｉｎｇ  ｄｏｒｎａｎｔ）、装置故障（ｅｑｕｉｐｍｅｎｔ  ｆａｉｌｕｒｅ）、通常コールリリース、ＯＡＭ＆Ｐの介入、ＰＤＳＮリソース利用不可能、である。Ａ９−ＰＤＳＮコード・エレメントに関しては、このエレメントはＰＤＳＮ失敗コードを含む。
【００１５】
図４に示されているのはＡ９−リリース−Ａ８完了メッセージのエレメントを示しているテーブルである。このケースの場合、Ａ９−リリース−Ａ８完了メッセージはＡ９メッセージタイプ、コール接続参照、関連ＩＤ、原因、Ａ９−ＰＤＳＮコードからなる。関連ＩＤに関しては、Ａ９−リリース−Ａ８完了メッセージに含まれている場合、このエレメントは単に含まれる。このエレメントはそのメッセージから受信した値にセットされる。この原因に関しては、許可される値は：ＰＤＳＮリソース利用不可能、ＰＣＦリソース利用不可能、装置故障、ＯＡＭ＆Ｐの介入、である。また原因エレメントに関しては、もしＰＤＳＮ失敗コードが利用可能な場合、原因エレメントは含まれない。Ａ９−ＰＤＳＮコードに関しては、このエレメントはＰＤＳＮ失敗コードを含む。
【００１６】
Ａ１１−登録更新メッセージに関しては、このメッセージは全てのメッセージタイプ、予約ホームアドレス（ｒｅｓｅｒｖｅｄ  ｈｏｍｅ  ａｄｄｒｅｓｓ）、ホームエージェント識別（ｈｏｍｅ  ａｇｅｎｔ  ｉｄｅｎｔｉｆｉｃａｔｉｏｎ）、セッション固有拡張（ｓｅｓｓｉｏｎ  ｓｐｅｃｉｆｉｃ  ｅｘｔｅｎｓｉｏｎ）、登録更新認証（ｒｅｇｉｓｔｒａｔｉｏｎ  ｕｐｄａｔｅ  ａｕｔｈｅｎｔｉｃａｔｉｏｎ）、通常ベンダー／組織固有拡張（ｎｏｒｍａｌ  ｖｅｎｄｏｒ  ｏｒｇａｎｉｚａｔｉｏｎ  ｓｐｅｃｉｆｉｃ  ｅｘｔｅｎｓｉｏｎｓ）、を有する。３オクテット（３  ｏｃｔｅｔｓ）で示されているフィールドは、ＰＤＳＮ１８でフィールドは０にセットされ、ＰＣＦ１６では無視される。通常ベンダー／組織固有拡張（ＮＶＳＥ）エレメントはさらに図６で示されるように定義される。図６で示しているのは、あるエレメントは定義するための標準記述を用いて使われる技術である。特に注意する点は、新Ａ９−ＰＤＳＮコードアプリケーションタイプと、アプリケーションサブタイプとエレメントアプリケーションデータが存在することである。これは関連するイベント用の理由に関する情報を送信する。それゆえ、Ａ１１−登録更新メッセージはＰＤＳＮコードを有する。別のある実装として、Ａ１１−登録更新メッセージがＮＶＳＥエレメントを使用してＰＤＳＮコードを有する代わりにスタンドアローン（ｓｔａｎｄ  ａｌｏｎｅ）エレメントとしてＰＤＳＮコードを持ちえる。これらのメッセージの中でＰＤＳＮコードやＡ９−ＰＤＳＮコードの存在を使用して、ＢＳは価値のある情報を受信する。さらにＰＤＳＮコードやＡ９−ＰＤＳＮコードは望ましいと考えられる新しい情報を獲得することにより、タイミングよく修正することが可能である。そのため、現存のメッセージ内へのエレメントの拡張性や修正性の便利な追加は将来の改良柔軟に対応し得る
【００１７】
当業者は、本発明の装置及びこの装置の構成において、本発明の範囲と精神から逸脱することなく、様々な修正や変更が成され得ることを認識できる。例えば、Ａ１１登録応答メッセージは、ＰＣＦ向けに“リリース”ケースに対する原因情報の提供用としてＡ１１登録更新情報に代わって使用可能である。従って、この説明と図とは発明の範囲を限定するものではなく、寧ろ例示的説明とみなされるべきである。
【図面の簡単な説明】
【図１】本発明の方法を実行における有用なコミュニケーションシステムを示すブロック図。
【図２】本発明における一部メッセージの形態を示す表。
【図３】本発明の一実施形態における第一メッセージエレメントを示す表。
【図４】本発明の一実施形態における第二メッセージエレメントを示す表。
【図５】本発明の一実施形態における第三メッセージエレメントを示す表。
【図６】第三メッセージエレメントの詳細を示す表。
【図２】
2004522385.tif 000003
【図３】
2004522385.tif 000004
【図４】
2004522385.tif 000005
【図５】
2004522385.tif 000006
【図６】
2004522385.tif 000007
【国際公開パンフレット】
2004522385.tif 000008
2004522385.tif 000009
2004522385.tif 000010
2004522385.tif 000011
2004522385.tif 000012
2004522385.tif 000013
2004522385.tif 000014
2004522385.tif 000015
2004522385.tif 000016
2004522385.tif 000017
2004522385.tif 000018
2004522385.tif 000019
2004522385.tif 000020
2004522385.tif 000021
2004522385.tif 000022
2004522385.tif 000023
2004522385.tif 000024
2004522385.tif 000025
【国際公開パンフレット（コレクトバージョン）】
2004522385.tif 000026
2004522385.tif 000027
【国際調査報告】
2004522385.tif 000028
2004522385.tif 000029